(57)【要約】【課題】ねじを用いて引込線を引込分岐端子箱に固定する電気工事の際に、締付工具と引込分岐端子箱を構成する部材とが接触することによる放電等を防止し、安全度の高い電気工事を行なうことができる工具を提供する。【解決手段】絶縁体で被覆された略棒状の柄と、柄の先端に設けられ、ねじの頭に嵌合される筒体部を有する略板状の本体２１２と、を備える締付工具２１を覆うカバー１２。カバー１２は、絶縁体で構成され、一端が開口し柄の外径より大きい内径を有する略筒状の筒状部１１１と、筒状部１１１の他端から延びて嵌合部を露出させた状態で本体２１２の側部を覆う被覆部１２２とを備える。【選択図】図３
2007044829.tif 000002
【特許請求の範囲】
【請求項１】
絶縁体で被覆された略棒状の柄と、前記柄の先端に設けられねじの頭に嵌合される嵌合部を有する略板状の本体と、を備える締付工具を覆うカバーであって、
絶縁体で構成され、一端が開口し前記柄の外径より大きい内径を有する略筒状の筒状部と、前記筒状部の他端から延びて前記嵌合部を露出させた状態で前記本体の側部を覆う被覆部と、を備えるカバー。
【請求項２】
前記嵌合部は、前記本体の互いに対向する面の一方の側に設けられた第１嵌合溝と、他方の側に設けられた第２嵌合溝と、を有し、
前記被覆部は、前記筒状部から延びる底面、及び一対の互いに略平行な側面を有し、前記本体の幅より幅広の略溝状であり、
前記被覆部の開口から前記第１嵌合溝が露出され、
前記底面は、前記側面同士を接続し、前記第２嵌合溝に対向する位置に形成された穴を有する請求項１に記載のカバー。
【請求項３】
前記被覆部は、さらに、前記側面の一端縁同士を離合させる締結具を有し、
前記側面は塑性変形可能な可塑性絶縁体で構成されている請求項２に記載のカバー。
【請求項４】
前記嵌合部は、前記本体の互いに対向する面の一方の側に設けられた第１嵌合溝と、他方の側に設けられた第２嵌合溝と、を有し、
前記被覆部は前記筒状部の他端から延びて互いに対向する一対の片を有する請求項１に記載のカバー。
【請求項５】
前記被覆部は、さらに、前記片の先端同士を離合させる締結具を有し、
前記片は塑性変形可能な可塑性絶縁体で構成されている請求項４に記載のカバー。
【請求項６】
前記嵌合部は、前記本体の互いに対向する面の一方から略垂直に延びる略筒状の第１筒体と、他方から略垂直に延びる略筒状の第２筒体と、前記第２筒体の中心線を軸として第２筒体を回転させることで前記中心線を軸として前記第１筒体を回転させる回転手段と、をさらに有し、
前記第１筒体の先端部に第１嵌合溝が形成され、
前記第２筒体を覆う略筒状のキャップをさらに備える請求項１から５のいずれかに記載のカバー。
【請求項７】
前記回転手段は、前記第１筒体と前記第２筒体とを連動させて回転させるラチェットであり、
前記被覆部は透明な絶縁体で構成されている請求項６に記載のカバー。
【請求項８】
前記筒状部の外表面には凹凸が形成されている請求項１から７のいずれかに記載のカバー。
【請求項９】
絶縁体で被覆された略棒状の柄と前記柄の先端に設けられ前記ねじの頭に嵌合する嵌合部を有する略板状の本体とを備える締付工具と、
請求項１から８のいずれかに記載のカバーと、を備える電気工事用締付工具。
【発明の詳細な説明】
【技術分野】
【０００１】
本発明は、電気工事に用いられる締付工具のカバー及びカバーを備える電気工事用の締付工具に関する。
【背景技術】
【０００２】
従来、図８に示すように、電柱６１に支持された引下用分岐電線６２から、電気を使用する各建物（以下、「需要家」と称する）に設けられた取付点（図示せず）に電気を送るために、引込線６５が用いられている。引込線６５は、電柱６１に取り付けられた腕金の金物７６に取り付けられた引込分岐端子箱７１を介して引下用分岐電線６２に電気的に接続される。
【０００３】
例えば、新しい需要家に送電するときは、引下用分岐電線６２とその需要家から伸びる引込線６５とを、電柱６１の上部に取り付けられた引込分岐端子箱７１を介して、電気的に接続する電気工事が行われる。引込分岐端子箱７１は、これの内部に複数の略板状の接続部７３を備えている。接続部７３の表面には、引込線６５を取り付けるためのねじ７５と端子６４が設けられている。引下用分岐電線６２は、引込分岐端子箱７１の内部に配置された接続部７３に電気的に接続され、引込線６５の先端をねじ７５で端子６４を螺合することにより、引下用分岐電線６２と引込線６５とが電気的に接続される。
【０００４】
作業者は、この作業者の手Ｈに電気絶縁性を有するゴムの手袋Ｒを着用した後、金属製の締付工具２１を用いて、引込分岐端子箱７１のねじ７５を締め付けて、引込線６５を引込分岐端子箱７１に電気的に接続させる電気工事を行う。締付工具２１は、例えば、特許文献１に開示されている構成を有するものを用いてもよい。
【０００５】
図９に示すように、締付工具２１は、例えば、略棒状の形状を有する金属製の柄２１１と、この柄２１１の先端に設けられた平面視略しずく形の金属製の本体２１２とを備える。本体２１２は、これから相反する方向に略垂直に延びる筒状の筒体部２３０を回転可能に保持している。本体２１２の中央の寸法Ｗ（図９参照）は、柄２１１の外径より大きい寸法を有している。この締付工具２１は電気工事に使用するため、金属製の柄２１１の表面は絶縁性の合成樹脂で形成された絶縁体２２２で被覆されているが、本体２１２の表面は被覆されていない。よって、本体２１２の表面は導電性を有する。
【０００６】
本体２１２には、互いに略平行な第１面２１２ｆ及び第２面２１２ｇがある。筒体部２３０は、第１面２１２ｆからほぼ垂直に延びる第１筒体２３１と、第２面２１２ｇからほぼ垂直に延びる第２筒体２３２とを有している。第１筒体２３１及び第２筒体２３２のそれぞれの先端部には、ボルトやナットに嵌合することができる第１嵌合溝２３３及び第２嵌合溝２３４が形成されている。第１嵌合溝２３３と第２嵌合溝２３４とは、互いに、異なるサイズのボルトの頭やナットに嵌合するように形成されている。
【０００７】
図８に示すように、作業者が、引込線６５をねじ７５で引込分岐端子箱７１に固定する際は、例えば、第２嵌合溝２３４をねじ７５の頭に嵌合させ、ねじ７５を回転中心になるように、すなわち、柄２１１が筒体部２３０の周りを回転するように柄２１１を回転または揺動させてねじ７５を締付ける。
【特許文献１】特開２００１−３１５０６８号公報
【発明の開示】
【発明が解決しようとする課題】
【０００８】
ところで、引込分岐端子箱７１の接続部７３及びねじ７５は、一般に電気的導通性を有する金属で構成される。一方、引下用分岐電線６２は絶縁体で被覆されているが、引下用分岐電線６２には概ね２００ボルト程度の電圧で電気が流れる。このため、引下用分岐電線６２により電気を供給されている接続部７３及びねじ７５は充電されている。
【０００９】
このため、図８に示すように、作業者が充電された接続部７３に、引込線６５を接続する電気工事を行う際に、締付工具２１の本体２１２と引込分岐端子箱７１やこれを電柱６１に支持する金物７６等とが接触してしまう場合がある。そのような場合、互いに接触した箇所から地絡等によるアークが発生するおそれがある。すなわち、本体２１２が幅広の略しずく形を形成しているため、作業者が引込線６５の端子を引込分岐端子箱７１のねじ７５に固定するために締付工具２１を回転させたときに、本体２１２の幅広の側部２１２ｈ等が引込分岐端子箱７１や金物７６等に接触して地絡しやすい。
【００１０】
本発明は上記課題に鑑み、ねじを用いて引込線を引込分岐端子箱に固定する電気工事の際に、締付工具と引込分岐端子箱を構成する部材とが接触することによる地絡等を防止し、安全度の高い電気工事を行なうことができる工具を提供することを目的とする。
【課題を解決するための手段】
【００１１】
本発明は、上記の課題を解決するため、締付工具を覆うカバー、及びこのカバーを備える電気工事用締付工具を提供する。より具体的には、本発明は以下を提供する。
【００１２】
（１）  絶縁体で被覆された略棒状の柄と、前記柄の先端に設けられねじの頭に嵌合される嵌合部を有する略板状の本体と、を備える締付工具を覆うカバーであって、絶縁体で構成され、一端が開口し前記柄の外径より大きい内径を有する略筒状の筒状部と、前記筒状部の他端から延びて前記嵌合部を露出させた状態で前記本体の側部を覆う被覆部と、を備えるカバー。
【００１３】
本発明に係るカバーは、柄の先に設けられた略板状の本体にねじの頭を嵌合させてねじを固定又は緩める任意の締付工具に取り付けて用いることができる。カバーは、握りとなる締付工具の柄の外径より大きい内径の筒状部を備え、この筒状部の先端から締付工具の本体の少なくとも側面を覆うように被覆部が延びる構成となっている。このため、本発明によれば、柄の先端において面状に拡がって幅広となった本体側面が、例えば引込分岐端子箱のような蓄電した物体に接触しても、本体の側面とその物体との間に絶縁体が配置されているから、接続部７３やねじ７５に充電された電気で地絡等によるアーク発生による危険性を防止できる。
【００１４】
（２）  前記嵌合部は、前記本体の互いに対向する面の一方の側に設けられた第１嵌合溝と、他方の側に設けられた第２嵌合溝と、を有し、前記被覆部は、前記筒状部から延びる底面、及び一対の互いに略平行な側面を有し、前記本体の幅より幅広の略溝状であり、前記被覆部の開口から前記第１嵌合溝が露出され、前記底面は、前記側面同士を接続し、前記第２嵌合溝に対向する位置に形成された穴を有する（１）に記載のカバー。
【００１５】
被覆部は本来、締付工具の嵌合部を露出させた状態で本体の側面を覆うものであればよいが、（２）記載の発明において被覆部は、筒状部から延びる底面及び互いに略平行な一対の側面とで構成され、側面及び一対の底面に囲まれた部分に溝が形成される。締付工具の本体は、本発明に係るカバーの被覆部の溝に収容され、本体の側部は、被覆部の側面で被覆される。一方、略板状の本体の面の一方は溝の開口した部分から露出され、面の他方は被覆部の底面で被覆される。本発明では締付工具の嵌合部は、本体の互いに対向する両表面のそれぞれに設けられた嵌合溝を有するが、カバーの底面には穴が設けられていることから、本体の両表面に設けられた第１嵌合溝及び第２嵌合溝をカバーから露出させることができる。
【００１６】
また被覆部は、両端が開口し締付工具の本体の幅よりも幅広であるため、締付工具をカバーの被覆部から筒状部の方向へ動かすことでカバーを締付工具に装着し、締付工具をカバーの筒状部から被覆部の方向へ動かすことでカバーを締付工具から取り外すことができる。
【００１７】
（３）  前記被覆部は、さらに、前記側面の一端縁同士を離合させる締結具を有し、前記側面は塑性変形可能な可塑性絶縁体で構成されている（２）に記載のカバー。
【００１８】
（３）記載の発明では被覆部を塑性変形可能で柔軟性のある素材、例えば０．１ｍｍ〜１ｍｍ程度のプラスチックシートやゴムシート等で構成するとともに、側面同士を締結具で留めることにより、溝状の被覆部の開口した端部を閉じることができる。このため、カバーを締付工具に装着した後、被覆部の開口した端部を閉じて側面の端部が締付工具を使用する際に邪魔にならないようにできる。一方、締結具を外すことにより、被覆部の端部を開いてカバーを締付工具から取り外すこともできる。
【００１９】
（４）  前記嵌合部は、前記本体の互いに対向する面の一方の側に設けられた第１嵌合溝と、他方の側に設けられた第２嵌合溝と、を有し、前記被覆部は前記筒状部の他端から延びて互いに対向する一対の片を有する（１）に記載のカバー。
【００２０】
被覆部を構成する一対の片はそれぞれ、筒状部の一方の端部から、締付工具の本体に沿って延びて本体の側部から延出するように構成する。このように被覆部を互いに対向する１対の片とすることにより、カバーを締付工具に容易に着脱できる。
【００２１】
（５）  前記被覆部は、さらに、前記片の先端同士を離合させる締結具を有し、前記片は塑性変形可能な可塑性絶縁体で構成されている（４）に記載のカバー。
【００２２】
本発明によれば、被覆部を塑性変形可能で柔軟性のある素材、例えば０．１ｍｍ〜１ｍｍ程度のプラスチックシートやゴムシート等で構成するとともに、互いに対向する片の先端同士を離合させる締結具を設けることにより、片の先端を開閉することができる。このため、片の先端が締付工具を使用する際に邪魔にならないようにできる。
【００２３】
（６）  前記嵌合部は、前記本体の互いに対向する面の一方から略垂直に延びる略筒状の第１筒体と、他方から略垂直に延びる略筒状の第２筒体と、前記第２筒体の中心線を軸として第２筒体を回転させることで前記中心線を軸として前記第１筒体を回転させる回転手段と、をさらに有し、前記第１筒体の先端部に第１嵌合溝が形成され、前記第２筒体を覆う略筒状のキャップをさらに備える（１）から（５）のいずれかに記載のカバー。
【００２４】
キャップの端部は両方とも開口していてもよいが、片側端部を塞ぐ面を備えていることが好ましい。本発明によれば、第２筒体をキャップで被覆することで第２筒体が導電性の物体と接触して放電することを防止できる。また、キャップで被覆した第２筒体を手で回転させることで第１筒体を回転させてねじを回すことができる。
【００２５】
なお第２筒体の先端部には第２嵌合溝を形成してもよく、かかる場合、第１嵌合溝と第２嵌合溝の直径を相違させ、キャップは第１筒体及び第２筒体のどちらも被覆できる内径を有するものとすることが好ましい。かかる構成にすることにより、互いに対向する第１筒体及び第２筒体の先端にねじの頭を嵌め合わせることでねじの頭と容易に嵌合できる締付工具において、第１筒体、又は第２筒体が導電性の物体と接触して放電することを防止できる。
【００２６】
（７）  前記回転手段は、前記第１筒体と前記第２筒体とを連動させて回転させるラチェットであり、前記被覆部は透明な絶縁体で構成されている（６）に記載のカバー。
【００２７】
第１筒体及び第２筒体を連動させて回転させるラチェットを備える締付工具を用いれば、締付工具の操作に要する力を軽減できる。本発明では、カバーの被覆部が透明であるため、締付工具にカバーを取り付けた状態でラチェットの爪の位置を確認することができる。また、本体の表面に直接、嵌合溝を形成した締付工具にカバーを取り付ける場合には、ねじの頭と嵌合溝との嵌合位置を確認することが容易になる。
【００２８】
（８）  前記筒状部の外表面には凹凸が形成されている（１）から（７）のいずれかに記載のカバー。
【００２９】
筒状部に設ける凹凸は滑り止めを目的とし、凹凸の大きさは筒状部を構成する素材に応じて適宜選択できる。例えば、筒状部をゴムシートのような比較的柔軟な素材で構成する場合は、直径１ｍｍ〜３ｍｍ程度、高さ０．１ｍｍ〜０．５ｍｍ程度の比較的小さな凹凸を１ｍｍ〜３ｍｍ程度の間隔で設けてよく、厚さが０．５ｍｍ〜１ｍｍ程度のプラスチックシートのような比較的可塑性の低い素材で構成する場合は、凹凸の大きさ及び間隔を大きくすればよい。
【００３０】
（９）  絶縁体で被覆された略棒状の柄と前記柄の先端に設けられ前記ねじの頭に嵌合する嵌合部を有する略板状の本体とを備える締付工具と、（１）から（８）のいずれかに記載のカバーと、を備える電気工事用締付工具。
【００３１】
本発明に係わる電気工事用締付工具によれば、幅広の本体が引込分岐端子箱のような充電した物体と接触してアークが発生するおそれを低減して、安全度の高い電気工事を行なうことができる。
【発明の効果】
【００３２】
本発明によれば、絶縁体で構成されたカバーが金属製の締付工具の本体側部を覆うため、締付工具がねじ等にたいして傾斜してしまっても、締付工具が引込分岐端子箱７１や金物７６等に直接接触することがないため、アークが生じるおそれを防止することができる。このため、電気工事におけるねじの固定等の作業を容易、かつ安全に行なうことができるようになる。
【発明を実施するための最良の形態】
【００３３】
次に、本発明の実施形態について図面を用いて説明する。以下、同一部材については同一符号を付し、説明を省略又は簡略化する。なお、上下左右前後といった位置を示す語は、本明細書における説明のために作成された図面を規準として便宜的に使用するものに過ぎない。
【００３４】
［第１実施形態］
図１は、締付工具２１に本発明の第１実施形態に係るカバー１１を取り付けた電気工事用締付工具１の斜視図である。
【００３５】
図９で説明したように、締付工具２１は、金属で構成され、柄２１１と、柄２１１の先端に設けられた平面視略しずく形の本体２１２とを有する。柄２１１は略円柱状であり、柄２１１の表面は、略半円形の複数の突起２２１が形成されたプラスチックのような絶縁体２２２で被覆されている。
【００３６】
本体２１２には、互いに略平行な第１面２１２ｆ及び第２面２１２ｇがある。本体２１２は、嵌合部として第１筒体２３１と第２筒体２３２とを有している。第１筒体２３１は、第１面２１２ｆからほぼ垂直に延び、先端部には第１嵌合溝２３３が形成されている。一方、第２筒体２３２は第２面２１２ｇからほぼ垂直に延び、先端部には第２嵌合溝２３４が形成されている。
【００３７】
第１筒体２３１は、第２筒体２３２より外径及び内径ともに大きく、第１嵌合溝２３３の径は第２嵌合溝２３４の径より大きい。このためこの締付工具２１は、２つの異なる直径のねじの頭を有するねじと嵌合させて使用できる。
【００３８】
本体２１２における第１面２１２ｆと第２面２１２ｇとの間は１ｃｍ〜１．５ｃｍ程度離れている。第１面２１２ｆ及び第２面２１２ｇの外縁部分が幅１ｃｍ〜１．５ｃｍ程度の隙間を有する側部２１２ｈとなっている。第１面２１２ｆと第２面２１２ｇとの間には、歯車２３７（図９参照）と歯車２３７の逆転を止める爪２３８とが設けられている。歯車２３７は、第１筒体２３１及び第２筒体２３２の中心を通る中心線を回転軸として、第１筒体２３１及び第２筒体２３２をともに回転させる。このため、第１嵌合溝２３３又は第２嵌合溝２３４にねじの頭を嵌め合わせて、第１筒体２３１及び第２筒体２３２を回転させるだけで、力をかけずにねじ７５を締め付け、又は緩めることができる。
【００３９】
本実施形態では、爪２３８は、歯車２３７と噛み合う位置を変えることができるように構成されている。このため、歯車２３７と爪２３８とはいわゆるラチェットを構成するから、この締付工具２１では第１嵌合溝２３３又は第２嵌合溝２３４にねじの頭を嵌め込んだまま、歯車２３７の回転方向を切り替えることができる。
【００４０】
次に、図１を参照して本発明の第１実施形態に係るカバー１１について説明する。図１は、締付工具２１の本体２１２の第１面２１２ｆを上側とした場合の斜視図である。図１に示すように、カバー１１は、略円筒形の筒状部１１１と、締付工具２１の本体２１２を覆う被覆部１１２とを有し、厚さ１ｍｍ程度の絶縁性プラスチックシートで構成されている。筒状部１１１は、締付工具２１の柄２１１の外径より大きい内径を有する筒状体であり、一方の端縁（図１では左側）が開口し、他方の端縁は被覆部１１２と連続している。なお、図１において、被覆部１１２で覆われた締付工具２１の一部を破線で示す。
【００４１】
被覆部１１２の外形は、締付工具２１の本体２１２に実質的に相似した形状である。具体的には、被覆部１１２は、平面視略しずく形の一対の第１面部１１４ｆ及び第２面部１１４ｇと、第１面部１１４ｇと第２面部１１４ｇの外縁同士を接続する側部１１４ｈを有する。第１面部１１４ｆは、本体２１２の第１面２１２ｆに面し、第１開口１１６ｆを有する。図１に示すように、第１開口１１６ｆは、第１筒体２３１の直径より大きく第１面２１２ｆより小さければよく、本実施形態では、第１面部１１４ｇと相似した形状としている。
【００４２】
一方、第１面部１１４ｆと対向する側に位置する第２面部１１４ｇは、本体２１２の第１面２１２ｇに面し、図１には現れていないが、第１開口１１６ｆの反対側の位置に開けられた第２開口１１６ｇを有している。第２開口１１６ｇは、第２筒体２３２の直径より大きく第２面２１２ｇより小さければよく、本実施形態では、第１開口１１６ｆに実質的に相似した形であり、第１開口１１６ｆより小さい。
【００４３】
締付工具２１の第１筒体２３１は、第１開口１１６ｆからカバー１１外に露出され、第２筒体２３２は、第２開口１１６ｇからカバー１１外に延出する。このため、締付工具２１の本体２１２に設けられた第１嵌合溝２３３又は第２嵌合溝２３４にねじの頭を容易に嵌め合わせることができる。
【００４４】
上述したカバー１１を備える電気工事用締付工具１は、金属が露出する締付工具２１の柄２１１の先端から本体２１２までが絶縁体で被覆される。このため、電気工事の際に引込分岐端子箱等に本体２１２、特に幅広となった側部２１２ｈが接触してもアークを発生する危険性を回避できる。また、カバー１１の被覆部１１２には、第１開口１１６ｆ及び第２開口１１６ｇが形成されていることから、締付工具２１の嵌合溝２３３、２３４とねじの頭との嵌合を阻害しない。
【００４５】
なお、第１実施形態に係るカバー１１は、締付工具２１の本体２１２に沿った形状であるため、締付工具２１に代えて、嵌合溝が本体に直接彫り込まれている締付工具に適用した場合でも、かかる締付工具の本体の側部を被覆した上、嵌合溝とねじの頭との嵌合を阻害することを回避できる。
【００４６】
［第２実施形態］
次に図２及び図３を参照して、本発明の第２実施形態に係るカバー１２が取り付けられた電気工事用締付工具２について説明する。図２は締付工具２１の本体２１２の第１面２１２ｆを上側とした場合の斜視図である。図３は第２面２１２ｇを上側とした場合の斜視図である。なお、説明の便宜のため図３では、被覆部１２２で覆われた締付工具２１の一部を破線で示している。
【００４７】
電気工事用締付工具２は、締付工具２１とカバー１２とを備える。被覆部１２２の形状が第１実施形態に係るカバー１１の被覆部１１２と異なる。また、カバー１２は、厚さ０．５ｍｍ〜１ｍｍ程度の塑性変形可能な絶縁性のプラスチックシートで構成されている。以下、被覆部１２２の形状について具体的に説明する。
【００４８】
被覆部１２２は、一端が筒状部１１１と連続した略溝状を形成する。被覆部１２２は、互いに略平行な一対の側面１２４ｍ及び側面１２４ｎと、これらの側面１２４ｍ、１２４ｎ同士を接続する底面１２４ｐとを有する。したがって、被覆部１２２は、側面１２４ｍと側面１２４ｎと底面１２４ｐとにより開口１２８を形成している。被覆部１２２の端縁であって筒状部１１１と連続していない側の端縁（以下、「先端」）は、本来、開口しているが後述する締結具１２５により開閉可能に構成されている。
【００４９】
一対の側面１２４ｍ、１２４ｎは、本体２１２の第１面２１２ｆ及び第２面２１２ｇに対して略垂直であり、締付工具２１の本体２１２の側部２１２ｈを覆う。被覆部１２２の先端部には、一方の側面１２４ｍに留め穴１２７が開けられており、他方の側面１２４ｎに締結具１２５が取り付けられている。締結具１２５は胴部がくびれた形状で、締結具１２５の先端部分を留め穴１２７に挿抜することで、被覆部１２２の開口した先端を開閉できる。
【００５０】
一方、底面１２４ｐは、側面１２４ｍ及び１２４ｎの一端縁同士を接続しており、本体２１２の第２面２１２ｇを覆う。底面１２４ｐには第２筒体２３２の直径より大きい略円形の穴１２６が開けられており、締付工具２１の第２筒体２３２がこの穴１２６から露出する。また被覆部１２２は溝状で底面１２４ｐと対向する面は開口１２８を形成していることから、締付工具２１の第１筒体２３１は、この開口１２８からカバー１２の外へ露出する。
【００５１】
このカバー１２は、被覆部１２２の先端が開口し、かつ、この開口した部分が締結具１２５により開閉できるように構成されているため、締結具１２５を留め穴１２７から抜いて被覆部１２２の先端を開口させることで、カバー１２を締付工具２１に着脱することができる。このため本実施形態では、上述した効果に加え、カバー１２が不要な場合に締付工具２１からカバー１２を取り外すことができる。したがって、カバー１２を締付工具２１から取り外し、筒体部２３０に相対的回転不能に固定された歯車２３７に噛合する爪２３８の位置を変更することにより、歯車２３７が回転可能な回転方向を変更することができる。
【００５２】
一方、カバー１２を締付工具２１に取り付けた後は、締結具１２５を留め穴１２７に差し込み、被覆部１２２の側面１２４ｍ及び１２４ｎを閉じることができる。このため、被覆部１２２の側面１２４ｍ及び１２４ｎが遊離して邪魔になることを防止できる。さらに、被覆部１２２の側面１２４ｍ、１２４ｎは第１実施形態のカバー１１の側部２１２ｈに比して幅広であるため、締付工具２１の本体２１２の側部２１２ｈを広く被覆できる。
【００５３】
図７に示すように、電気工事用締付工具２は、絶縁体で構成されたカバー１２が金属製の締付工具２１の本体２１２の側部２１２ｈを覆うため、電気工事用締付工具２が引込分岐端子箱７１に接触した場合でもアークが生じるおそれを防止できる。このため、締付工具２１の本体２１２がねじ７５に対して傾いても、本体２１２が引込分岐端子箱７１等に接触することが避けられる。このため、電気工事におけるねじ７５の固定等の作業を容易、かつ安全に行なうことができるようになる。
【００５４】
［第３実施形態］
図４は、別体として締付工具２１に取り付けられるキャップ１３１を備えたカバー１３が取り付けられた、本発明の第３実施形態に係る電気工事用締付工具３を示す斜視図である。カバー１３はキャップ１３１を備えている点と、筒状部１１１及び被覆部１２２を構成する素材が異なる点を除けば、第２実施形態に係るカバー１２と実質的に同一の形状である。具体的には、筒状部１１１及び被覆部１２２が外側表面に直径１ｍｍ程度の突起が設けられた厚さ０．５ｍｍ程度の絶縁性の塑性変形可能な透明プラスチックシートで構成されている。なお、筒状部１１１及び被覆部１２２は、素材が異なる点を除けば第２実施形態のカバー１２の筒状部１１１及び被覆部１２２と同様の構成であるため、同一符号を付し、説明を省略する。
【００５５】
キャップ１３１は、一端縁が閉じた略円筒形であり、絶縁性の素材で構成されている。キャップ１３１の閉じられた端縁と対向する側に位置する他端縁は開口しており、この開口した端縁からキャップ１３１を第１筒体２３１又は第２筒体２３２に被せて使用する。本実施形態のキャップ１３１は、第１筒体２３１及び第２筒体２３２のどちらも被覆できるよう、第１筒体２３１の外径より大きい内径を有する。
【００５６】
このカバー１３を備える電気工事用締付工具３は、キャップ１３１を備えるため、ねじの締付けに使用されない側にある第１筒体２３１又は第２筒体２３２が引込分岐端子箱７１等と接触してアークなどが生じることを防止できる。また、キャップ１３１はカバー１３に対して相対的
【００５７】
またカバー１３は透明であるため、ねじ７５の頭と嵌合溝２３３、２３４との係合具合を確認できる。さらに、筒体部２３０が本体２１２に対して回転可能な方向を示す爪２３８の位置も確認できる。このため、かかる電気工事用締付工具３はねじ７５に容易に嵌合させることができ、また、柄２１１を回転又は揺動させる方向を誤るおそれが低い。
【００５８】
カバー１３の外側表面には微小な複数の突起が設けられているため、かかる突起が滑り止めとして機能し、作業性を向上させることができる。なお、突起は、少なくとも筒状部１１１の外側表面に設けられていれば良い。
【００５９】
［第４実施形態］
図５及び図６は本発明の第４実施形態に係る電気工事用締付工具４を示す。図５は、締付工具２１の本体２１２の第２面２１２ｇ側から見た斜視図である。図６は締付工具２１の本体２１２の第１面２１２ｆ側から見た平面図である。図５及び図６では、締付工具２１とカバー１４との関係を説明するため、締付工具２１の一部であって、カバー１４で被覆されている部分を破線で示している。
【００６０】
電気工事用締付工具４は、締付工具２１とカバー１４とを備える。カバー１４は、被覆部１４２の形状が第３実施形態に係るカバー１３の被覆部１２２の形状と異なり、筒状部１１１及び被覆部１４２を構成する素材として厚さ０．５ｍｍ〜１ｍｍ程度の塑性変形可能な絶縁性のビニル樹脂製のシートを用いている。なお、筒状部１１１の構成は素材が異なる点を除けば第３実施形態に係るカバー１３と同様の構成であるため、説明を省略し、以下、被覆部１４２の形状について具体的に説明する。
【００６１】
被覆部１４２は、筒状部１１１の先端から延びて、互いに向かい合う一対の片１４４ｍ及び１４４ｎを有している。片１４４ｍ、１４４ｎは、略長方形板状で締付工具２１の本体２１２の側部２１２ｈを覆い、筒状部１１１と連続している端縁と略平行な端部（以下「先端部」）は本体２１２から延出している。一方の片１４４ｎの先端部近傍には締結具１２５が設けられ、他方の片１４４ｍの先端部近傍には締結具１２５が挿入される留め穴１４７が開けられている。
【００６２】
このカバー１４を締付工具２１に取り付けた状態では、片１４４ｍと片１４４ｎとの間に本体２１２が位置する。ここで、片１４４ｍと片１４４ｎの間は、締付工具２１の本体２１２の最も広い部分の幅Ｗより広い間隔で互いに離間していることから、これらの片１４４ｍ、１４４ｎの間から第１筒体２３１及び第２筒体２３２が、カバー１４外へ露出する。
【００６３】
また、胴部がくびれた締結具１２５は、一方の片１４４ｎの先端部分に取り付けられ、他方の片１４４ｍの先端部部分には留め穴１４７が設けられているため、締結具１２５を留め穴１４７に挿抜することで、片１４４ｍ、１４４ｎの先端同士を開閉できる。このように、本実施形態のカバー１４は、被覆部１４２が一対の片１４４ｍ、１４４ｎで構成されていることから、これらの片１４４ｍ、１４４ｎで締付工具２１の側部２１２ｈを被覆し、かつ、第１筒体２３１及び第２筒体２３２を容易にカバー１４から露出させることができる。さらに、片１４４ｍ、１４４ｎ同士は互いに接続されていないことから、第２実施形態に係るカバー１２と比べて締付工具２１に対する着脱がより容易である。
【００６４】
本発明は、引込線を引込分岐端子箱に固定する際のねじ留めといった電気工事に使用される締付工具に利用できる。
【図面の簡単な説明】
【００６５】
【図１】本発明の第１実施形態に係るカバーが取り付けられた電気工事用締付工具の斜視図である。
【図２】本発明の第２実施形態に係るカバーが取り付けられた電気工事用締付工具の斜視図である。
【図３】本発明の第２実施形態に係るカバーが取り付けられた電気工事用締付工具の斜視図である。
【図４】本発明の第３実施形態に係るカバーが取り付けられた電気工事用締付工具の斜視図である。
【図５】本発明の第４実施形態に係るカバーが取り付けられた電気工事用締付工具の斜視図である。
【図６】本発明の第４施形態に係るカバーが取り付けられた電気工事用締付工具の平面図である。
【図７】本発明の第２施形態に係るカバーが取り付けられた電気工事用締付工具の使用状態を説明する図である。
【図８】従来の締付工具の使用状態を説明する図である。
【図９】従来の締付工具の斜視図である。
【符号の説明】
【００６６】
１〜４              電気工事用締付工具
１１〜１４          カバー
２１                締付工具
１１１              筒状部
１１２、１２２      被覆部
１２４ｍ、１２４ｎ  側面
１２４ｐ            底面
１４４ｍ、１４４ｎ  片
２１１              柄
２１２              本体
【図１】
2007044829.tif 000003
【図２】
2007044829.tif 000004
【図３】
2007044829.tif 000005
【図４】
2007044829.tif 000006
【図５】
2007044829.tif 000007
【図６】
2007044829.tif 000008
【図７】
2007044829.tif 000009
【図８】
2007044829.tif 000010
【図９】
2007044829.tif 000011